(57)【特許請求の範囲】
【請求項１】
上部体と下部体とを分離可能に連結してなる便座であって、
液の飛散防止用のカーテンプレートを内周縁から垂下するように取り付けてなり、
該カーテンプレートの支持部が該上部体と下部体との間に挟持されている便座において、
前記カーテンプレートと支持部が別体であり、カーテンプレートが該支持部に対し着脱自在に装着されており、
該支持部は、便座の内周面に臨む凹穴を備えており、前記カーテンプレートは、この凹穴に挿入される突起を備えており、
該突起を凹穴に挿入することにより、カーテンプレートが便座に装着され、該突起を凹穴から抜き出すことにより、カーテンプレートが便座から取り外されることを特徴とする便座。
【請求項２】
請求項１において、便座内周面の上部体と下部体とのパーティングラインよりも上位にオーバーハング状に段差面が設けられており、前記カーテンプレートの上端面が該段差面に当接していることを特徴とする便座。
【発明の詳細な説明】
【０００１】
【発明の属する技術分野】
本発明は便座に係り、特に尿や衛生洗浄装置の洗浄水などの液の飛散を防止するカーテンプレートを備えた便座に関する。
【０００２】
【従来の技術】
下面に飛散防止壁を設けた便座は周知であり、例えば、実開昭６０−１２００７９号公報には便座の下面の便座左右から便座前部にかけての部分に突起状の仕切壁を設けることが記載されている。
【０００３】
また、特開２０００−１２６０７７号には、便座の下面側に該飛散防止壁がゴム足を介して便座に支持されている便座が記載されている。さらに、同号には、便座カバーに液の飛散防止用のカーテン部を設けることが記載されている。
【０００４】
図５は同号の発明の実施の形態に係る便座カバーを示す斜視断面図、図６は図５の便座カバーの使用状態を示す断面図である。
【０００５】
便座１に装着された便座カバー７に飛散防止用のカーテン部８が設けられている。このカーテン部８は便座カバー７に縫合、接着などにより取り付けられても良く、マッジックテープ（商標）のような平面ファスナや、ホック、ボタン留めなどによって着脱可能に取り付けられても良い。
【０００６】
このカーテン部８は、便器１０のリム部１１の内周面に垂れ下るように配置され、尿や衛生洗浄装置の洗浄水などの飛散を防止する。
【０００７】
このカーテン部８が汚れたときには便座カバー７を外して洗うか、又はカーテン部８が着脱可能であればカーテン部８だけを外して洗う。
【０００８】
【発明が解決しようとする課題】
図５，６にあっては便座カバーにカーテン部を設けているため、便座カバーが必須であり、便座カバーを使いたくない使用者の意に沿わない。
【０００９】
本発明は液の飛散防止用のカーテンプレートを便座に直に取り付けるようにすることを目的とする。
【００１０】
【課題を解決するための手段】
本発明の便座は、上部体と下部体とを分離可能に連結してなる便座であって、液の飛散防止用のカーテンプレートを内周縁から垂下するように取り付けてなり、該カーテンプレートの支持部が該上部体と下部体との間に挟持されている便座において、前記カーテンプレートと支持部が別体であり、カーテンプレートが該支持部に対し着脱自在に装着されており、該支持部は、便座の内周面に臨む凹穴を備えており、前記カーテンプレートは、この凹穴に挿入される突起を備えており、該突起を凹穴に挿入することにより、カーテンプレートが便座に装着され、該突起を凹穴から抜き出すことにより、カーテンプレートが便座から取り外されることを特徴とするものである。
【００１１】
かかる便座にあっては、便座に直に取り付けられたカーテンプレートによって液の飛散が防止される。なお、便座が上部体と下部体とに分離可能であるため、この便座を処分するときには上部体と下部体とを分離し、中からヒータを取り出し、便座の合成樹脂部分をリサイクルすることができる。
【００１２】
本発明では、カーテンプレートと支持部が別体であり、カーテンプレートが該支持部に対し着脱自在に装着されているように構成している。このため、カーテンプレートを取り外して丸洗いしたり、便座内周面を清掃することができる。
【００１３】
本発明では、便座内周面の上部体と下部体とのパーティングラインよりも上位にオーバーハング状に段差面が設けられており、前記カーテンプレートの上端面が該段差面に当接している構成としてもよい。このようにすれば、パーティングラインが目立たず、便座の美観が良くなる。また、パーティングラインへの汚れ侵入も防止される。
【００１４】
【発明の実施の形態】
以下、図面を参照して実施の形態及び参考例について説明する。図１は参考例に係る便座を洋風便器上に倒伏させた状態の部分縦断面図、図２は参考例に係る便座の部分分解斜視図、図３は参考例に係る便座の全体平面図である。
【００１５】
この便座２０は、合成樹脂製の上部体２２と下部体２４とを組み合わせ、ビス２６によって結合したものである。上部体２２の下端と下部体２４の上端にはそれぞれ相抉り状の実（さね）部２８，３０が設けられており、これらの実部２８，３０同士が結合している。また、図示は省略するが、上部体２２及び下部体２４の一方からは他方に向って爪部が突設され、該他方の内面に設けられた凹所に該爪部が係合している。
【００１６】
上部体２２及び下部体２４にはボス部３２，３４が設けられている。下部体２４のボス部３４は筒状であり、下部体２４の底面から貫通する孔に前記ビス２６が挿通されている。このビス２６は上部体２２のボス部３２に螺じ込まれている。
【００１７】
この参考例に係る便座は暖房便座であり、上部体２０の内面にはヒータ３６が取り付けられている。下部体２４の底面にはゴム脚３８が取り付けられており、このゴム脚３８によってビス２６の頭部が隠されている。
【００１８】
便座の内周面（洋風便器の鉢部に臨むサイドの面）側にあっては、上部体２２の下端及び下部体２４の上端にそれぞれ凹部４２，４４が設けられている。上部体２０と下部体２２とを結合させると凹部４２，４４同士は重なり合って孔を形成する。この凹部４２，４４に結合させるようにしてカーテンプレート５０の支持部としての支持チップ５２が上部体２２及び下部体２４に挟み込まれている。
【００１９】
支持チップ５２は、小径の首部と大径の頭部とを有しており、この首部が凹部４２，４４に挟み込まれ、頭部は便座２０内に配置される。なお、上部体２２の内周面にはオーバーハングの段差面５４が設けられ、カーテンプレート５０の上端面が段差面５４に当接している。
【００２０】
図３の通り、この参考例では、カーテンプレート５０は合成樹脂製であり、支持チップ５２が一体成形されている。
【００２１】
図３の通り、この参考例では、カーテンプレート５０は便座２０の内周面のうち左右両サイド部にのみ設けられているが、便座２０の前方部にのみ設けられてもよく、前方部及び左右両サイドに設けられてもよい。さらに、後部のうち温水洗浄ノズルの進退領域以外の部分にもカーテンプレートを設けてもよい。
【００２２】
このように構成されたカーテンプレート５０付きの便座２０によると、カーテンプレート５０がリム部１１の内面に沿って垂下し、洋風便器１０と便座２０との間の隙間を覆うようになり、この隙間からの液の飛散が防止される。また、便座カバーが不要である。さらに、カーテンプレート５０が上部体２２と下部体２４とのパーティングラインを隠しているため、便座２０の内周面の見栄えが良いと共に、パーティングラインへの汚れの浸入が防止される。
【００２３】
なお、この便座２０は、使用済みとなった後は、ゴム脚３８を取り外した後、ビス２６を外し、上部体２２と下部体２４とを分離し、ヒータ３６及びカーテンプレート５０を取り外し、合成樹脂製上部体２２及び下部体２４をリサイクルすることができる。また、合成樹脂製カーテンプレート５０もリサイクルできる。
【００２４】
図４は本発明の実施の形態に係る便座２０Ａを示す図１と同様部分の断面図である。
【００２５】
この実施の形態では、上部体２２及び下部体２４の凹部４２，４４にカーテンプレート支持部としてのアタッチメント６０が挟持されている。このアタッチメント６０は、便座２０Ａの内周面に臨む凹穴６２を備えている。カーテンプレート５０Ａは、この凹穴６２に挿入される突起６６を備えている。この突起６６を凹穴６２に挿入することにより、カーテンプレート５０Ａが便座２０Ａに装着され、突起６６を凹穴６２から抜き出すことによりカーテンプレート５０Ａが便座２０Ａから取り外される。その他の構成は図１と同一であり、同一部分に同一符号を付してその説明を省略する。
【００２６】
この便座２０Ａによっても、前記便座２０と同様の作用効果を得ることができる。さらに、この便座２０Ａにあっては、カーテンプレート５０Ａが着脱自在であるため、カーテンプレート５０Ａを取り外して丸洗いしたり、便座２０Ａの内周面を入念に清掃することも可能である。
【００２７】
【発明の効果】
以上の通り、本発明によると尿や衛生洗浄装置の洗浄水などの飛散を防止することができる。本発明では便座やカーテンプレートのリサイクルが容易である。
【図面の簡単な説明】
【図１】  参考例に係る便座を示す断面図である。
【図２】  図１の便座の分解斜視図である。
【図３】  図１の便座の平面図である。
【図４】  実施の形態に係る便座の断面図である。
【図５】  従来例に係る便座カバーを示す斜視断面図である。
【図６】  図５の便座カバーの使用状態を示す断面図である。
【図１】
0003812418.tif 000002
【図２】
0003812418.tif 000003
【図３】
0003812418.tif 000004
【図４】
0003812418.tif 000005
【図５】
0003812418.tif 000006
【図６】
0003812418.tif 000007